(57)【要約】【課題】接ぎ木部分への病菌の入り込みや接ぎ木した苗木の周面への瘤状の突起の形成を効果的に防止しながら、台木と穂木との接合部分を確実に保持できる接ぎ木用接合具、及び、接ぎ木用接合具を用いて接ぎ木した苗木を提供する。【解決手段】非接合状態において一側面が長手方向に切り開かれた「６」字状の断面形状を有する薄肉円筒状のチューブからなり、チューブの長手方向中間部に、周方向に切り込まれたスリットＳ，Ｓを形成して、台木保持部１０が、その周方向の両端縁部１Ａ，１Ｂが径方向に重なり合った状態で、拡径による弾性復元力により台木の外周面に密着し、穂木保持部１１が、その周方向の両端縁部１Ａ，１Ｂが径方向に重なり合った状態で、拡径による弾性復元力により穂木の外周面に密着するように構成してある。【選択図】図１
2014132840.tif 000002
【特許請求の範囲】
【請求項１】
互いに太さが異なる台木と穂木とを接ぎ木する際に用いる接ぎ木用接合具であって、
台木と穂木とを接合していない非接合状態において一側面が長手方向に切り開かれた「６」字状の断面形状を有する薄肉円筒状のチューブからなり、
前記チューブの長手方向中間部に、周方向に切り込まれたスリットを形成して、非接合状態から拡径して台木と穂木とを接合した接合状態では、該スリットに対して長手方向一端側で台木を保持する台木保持部が、その周方向の両端縁部が径方向に重なり合った状態で、拡径による弾性復元力により台木の外周面に密着し、該スリットに対して長手方向他端側で穂木を保持する穂木保持部が、その周方向の両端縁部が径方向に重なり合った状態で、拡径による弾性復元力により穂木の外周面に密着するように構成してある接ぎ木用接合具。
【請求項２】
前記チューブの長手方向中間部に、その周方向の一端側の端縁部から周方向に切り込まれたスリットと、その周方向の他端側の端縁部から周方向に切り込まれたスリットと、該二つのスリットの間で前記台木保持部と前記穂木保持部とを連結する連結部を形成してある請求項１記載の接ぎ木用接合具。
【請求項３】
前記一端側及び他端側の端縁部に形成された二つのスリットの長さの和が、前記連結部の周方向長さよりも長くなるように、かつ、前記連結部の長さが、前記一端側の端縁部に形成されたスリットの長さ及び前記他端側の端縁部に形成されたスリットの長さよりも長くなるように、スリット長さが設定されている請求項２記載の接ぎ木用接合具。
【請求項４】
台木と穂木とを接合していない非接合状態において一側面が長手方向に切り開かれた「６」字状の断面形状を有する薄肉円筒状のチューブからなる接ぎ木用接合具を用いて互いに太さが異なる台木と穂木とを接ぎ木した苗木であって、
前記接ぎ木用接合具には、その長手方向中間部に周方向に切り込まれたスリットが形成され、該スリットに対して長手方向一端側で台木を保持する台木保持部が、その周方向の両端縁部が径方向に重なり合った状態で、接ぎ木する際の拡径による弾性復元力によって台木の外周面に密着し、該スリットに対して長手方向他端側で穂木を保持する穂木保持部が、その周方向の両端縁部が径方向に重なり合った状態で、接ぎ木する際の拡径による弾性復元力により穂木の外周面に密着している苗木。
【発明の詳細な説明】
【技術分野】
【０００１】
本発明は、互いに太さが異なる台木と穂木とを接ぎ木する際に用いる接ぎ木用接合具及び接ぎ木用接合具を用いて接ぎ木した苗木に関する。
【背景技術】
【０００２】
従来の技術として、例えば特許文献１には、長さ方向にすり割を有するクリップ部に長さ方向に略直交するスリットを形成して、クリップ部を長さ方向に複数に分割した接ぎ木用クリップが記載されている。この特許文献１に記載の技術は、スリットを形成することで太さの異なる台木と穂木を接ぎ木する場合において台木と穂木とを各別に挟持して接合部分を確実に保持しようとするものである。
【０００３】
また、例えば特許文献２には、長手方向に向けて一端側から他端側に向けて切断された部分を有し、切断された部分の対向縁部どうしが互いに重なり合った状態で接ぎ木を保持するように構成した接ぎ木用保持具が記載されている。この特許文献２に記載の技術は、対向縁部どうしを重ねた状態で接ぎ木部分を保持することで、接ぎ木部分を露出しない状態で保持して病菌が入り難いようにするものである。また、例えば特許文献３には、接ぎ木用接合具を平面視で渦巻き状に形成し、隙間の存在により接木苗の周面に瘤状の突起が形成されることを防止する技術が記載されている。
【先行技術文献】
【特許文献】
【０００４】
【特許文献１】特開平８−６６１２２号公報（段落「０００９」、図１０及び図７参照）
【特許文献２】実開平５−９１２８０号公報（段落「０００４」、段落「０００７」、図１及び図３参照）
【特許文献３】特開２００８−１５４４８４号公報（段落「００５７」、図４及び図５参照）
【発明の概要】
【発明が解決しようとする課題】
【０００５】
上述した特許文献１に記載の技術では、クリップ部の長さ方向にすり割が形成され、接ぎ木した状態ですり割の部分の台木や穂木が露出しているため、病菌が入り込むことを防止できず、接ぎ木した苗木の周面に瘤状の突起が形成されることを防止することができなかった。
【０００６】
また、特許文献２及び３に記載の技術では、接ぎ木部分を露出しない状態で保持することができる反面、互いに太さが異なる台木と穂木とを接ぎ木した場合には、太さが細い方の台木又は穂木の外周面と接ぎ木用保持具の内周面との間に隙間が生じ、台木と穂木との接合部分を確実に保持することが難しかった。
【０００７】
本発明の目的は、接ぎ木部分への病菌の入り込みや接ぎ木した苗木の周面への瘤状の突起の形成を効果的に防止しながら、台木と穂木との接合部分を確実に保持できる接ぎ木用接合具、及び、接ぎ木用接合具を用いて接ぎ木した苗木を提供することにある。
【課題を解決するための手段】
【０００８】
第１の発明は、互いに太さが異なる台木と穂木とを接ぎ木する際に用いる接ぎ木用接合具であって、台木と穂木とを接合していない非接合状態において一側面が長手方向に切り開かれた「６」字状の断面形状を有する薄肉円筒状のチューブからなり、前記チューブの長手方向中間部に、周方向に切り込まれたスリットを形成して、非接合状態から拡径して台木と穂木とを接合した接合状態では、該スリットに対して長手方向一端側で台木を保持する台木保持部が、その周方向の両端縁部が径方向に重なり合った状態で、拡径による弾性復元力により台木の外周面に密着し、該スリットに対して長手方向他端側で穂木を保持する穂木保持部が、その周方向の両端縁部が径方向に重なり合った状態で、拡径による弾性復元力により穂木の外周面に密着するように構成してある。
【０００９】
上記構成によると、台木と穂木とを接合した接合状態において、台木保持部及び穂木保持部の一側面の長手方向に切り開かれた部分を露出することなく、拡径による弾性復元力によって台木保持部及び穂木保持部の内周面を台木及び穂木の外周面に密着させた状態で接ぎ木することができる。これにより、薄肉円筒状のチューブに所定のスリットを形成するだけの簡単な構造で、接ぎ木部分への病菌の入り込みや接ぎ木した苗木の周面への瘤状の突起の形成を効果的に防止しながら、台木と穂木との接合部分を確実に保持することができる。
【００１０】
第２の発明は、上記第１の発明の接ぎ木用接合具において、前記チューブの長手方向中間部に、その周方向の一端側の端縁部から周方向に切り込まれたスリットと、その周方向の他端側の端縁部から周方向に切り込まれたスリットと、該二つのスリットの間で前記台木保持部と前記穂木保持部とを連結する連結部を形成してある。
【００１１】
上記構成によると、拡径による両端縁部の弾性復元力を連結部に対して直交又は略直交する方向から効果的に作用させることが可能となり、台木と穂木との接合部分を更に確実に保持することができる。
【００１２】
第３の発明は、上記第２の発明の接ぎ木用接合具において、前記一端側及び他端側の端縁部に形成された二つのスリットの長さの和が、前記連結部の周方向長さよりも長くなるように、かつ、前記連結部の長さが、前記一端側の端縁部に形成されたスリットの長さ及び前記他端側の端縁部に形成されたスリットの長さよりも長くなるように、スリット長さが設定されている。
【００１３】
上記構成によると、接ぎ木した際の台木と穂木との連結強度を連結部で確保して穂木の重さなどにより連結部が変形したり折れたりすることを回避しながら、二つのスリットの長さを極力長く確保して台木や穂木の太さの相違に柔軟に対応することが可能となる。
【００１４】
第４の発明は、台木と穂木とを接合していない非接合状態において一側面が長手方向に切り開かれた「６」字状の断面形状を有する薄肉円筒状のチューブからなる接ぎ木用接合具を用いて互いに太さが異なる台木と穂木とを接ぎ木した苗木であって、前記接ぎ木用接合具には、その長手方向中間部に周方向に切り込まれたスリットが形成され、該スリットに対して長手方向一端側で台木を保持する台木保持部が、その周方向の両端縁部が径方向に重なり合った状態で、接ぎ木する際の拡径による弾性復元力によって台木の外周面に密着し、該スリットに対して長手方向他端側で穂木を保持する穂木保持部が、その周方向の両端縁部が径方向に重なり合った状態で、接ぎ木する際の拡径による弾性復元力により穂木の外周面に密着している。
【００１５】
上記構成によると、台木と穂木とを接合した接合状態において、台木保持部及び穂木保持部の一側面の長手方向に切り開かれた部分を露出することなく、拡径による弾性復元力によって台木保持部及び穂木保持部の内周面を台木及び穂木の外周面に密着させた状態で接ぎ木することができる。これにより、薄肉円筒状のチューブに所定のスリットを形成するだけの簡単な構造で、接ぎ木部分への病菌の入り込みや接ぎ木した苗木の周面への瘤状の突起の形成を効果的に防止しながら、台木と穂木との接合部分を確実に保持することができる。
【図面の簡単な説明】
【００１６】
【図１】本発明に係る接ぎ木用接合具の構造を示す詳細図である。
【図２】接ぎ木用接合具を用いた接ぎ木方法を説明する説明図である。
【図３】接ぎ木用接合具を用いて接ぎ木した苗木の状態を示す断面図である。
【図４】別実施形態での接ぎ木用接合具を示す詳細図である。
【発明を実施するための形態】
【００１７】
［接ぎ木用接合具の構造］
図１に基づいて本発明に係る接ぎ木用接合具１の構造について説明する。図１は、台木２と穂木３とを接合していない非接合状態での接ぎ木用接合具１の構造を示す詳細図であり、図１（ａ）は、接ぎ木用接合具１の平面図であり、図１（ｂ）は、接ぎ木用接合具１の側面図であり、図１（ｃ）は、スリットＳの位置での接ぎ木用接合具１の断面図であり、図１（ｄ）は、外面側から見た接ぎ木用接合具１の展開図である。
【００１８】
図１（ａ）及び（ｂ）に示すように、接ぎ木用接合具１は、一側面が長手方向の全長に亘って切り開かれた「６」字状（「の」字状，渦巻き状，σ字状，ρ字状）の断面形状を有する薄肉円筒状のチューブで構成されている。つまり、接ぎ木用接合具１は、非接合状態において周方向の一端側の端縁部１Ａが他端側の端縁部１Ｂの径方向外側に重なり合うように形成されている。非接合状態において一端側の端縁部１Ａが他端側の端縁部１Ｂの外側に重なり合う重合部分の長さＬａは、重合部分を含む接ぎ木用接合具１の全周長さＬの３分の１又は略３分の１の長さに設定されている（図１（ｄ）参照）。
【００１９】
接ぎ木用接合具１は、その内径ｄが接合具を構成する板状材料の板厚ｔの２倍以上となるような薄肉円筒状に形成されている。具体的には、接ぎ木用接合具１は、板状材料の板厚ｔが０．４〜０．８ｍｍの範囲内の寸法（例えば０．６ｍｍ）に設定され、内径ｄがその板厚ｔの２倍以上となるように１．７ｍｍに設定されている。接ぎ木用接合具１の内径ｄは、接ぎ木対象となる台木２及び穂木３の外径よりも小さくなるように設定されている。これにより、台木２と穂木３とを接合した接合状態では、台木保持部１０が、その周方向の両端縁部１Ａ，１Ｂが径方向に重なり合った状態で、拡径による弾性復元力により台木２の外周面に密着し、穂木保持部１１が、その周方向の両端縁部１Ａ，１Ｂが径方向に重なり合った状態で、拡径による弾性復元力により穂木３の外周面に密着する。この場合、上述したように、接ぎ木用接合具１の重合部分の長さＬａは、全周長さＬの３分の１又は略３分の１の長さに設定されているので、接ぎ木対象となる台木２及び穂木３の外径が所定の範囲で異なるものである場合にも、複数種類の接合具を用いることなく同じ接ぎ木用接合具１を用いて所定の範囲内の任意の外径の台木２及び穂木３に対して接ぎ木することが可能となる。例えば、上述したように接ぎ木用接合具１の内径ｄや重合部分の長さＬａを設定した場合には、台木保持部１０及び穂木保持部１１の重合部分を確保しながら、１．９〜２．３ｍｍの範囲内の任意の外径の台木２及び穂木３を接ぎ木することができる。なお、上述した数値などは一例として示したものであり、接ぎ木用接合具１の内径ｄ及び板厚ｔなどは、接ぎ木対象となる台木２及び穂木３の外径の大きさに対して適宜設定できる。また、接ぎ木用接合具１の板厚ｔは、その材料として軟らかい材料を選定した場合には、０．８ｍｍ以上の寸法（例えば、０．９ｍｍ，１．０ｍｍ）に設定してもよい。
【００２０】
図１（ａ）に示すように、非接合状態での接ぎ木用接合具１は、他端側の端縁部１Ｂの先端が一端側の端縁部１Ａの内周面に接当し、一端側の端縁部１Ａと他端側の端縁部１Ｂとの間に所定の隙間Ｋが形成されるように、その断面形状が設定されている。つまり、一端側の端縁部１Ａ及び他端側の端縁部１Ｂの内周面が、接ぎ木した際に台木２や穂木３と密着し易いように、つまり、これらの内周面が比較的大きな曲率半径の円弧面となるように、一端側の端縁部１Ａと他端側の端縁部１Ｂとの間に所定の隙間Ｋが形成されている。所定の隙間Ｋは、他端側の端縁部１Ｂの先端から一端側の端縁部１Ａの先端側に向かうほど徐々にその隙間が広くなるように形成されている。
【００２１】
接ぎ木用接合具１には、その長手方向の中間部に周方向に切り込まれたスリットＳが形成されている。接ぎ木用接合具１は、スリットＳに対して長手方向一端側となる下部で台木２を保持する台木保持部１０と、スリットＳに対して長手方向他端側となる上部で穂木３を保持する穂木保持部１１とを備えて構成され、これらの台木保持部１０及び穂木保持部１１が二つのスリットＳ，Ｓの間の連結部１２で連結された構造となっている。
【００２２】
台木保持部１０及び穂木保持部１１には、接ぎ木する際に摘み部となる一対の操作部１３，１３が形成されている。一対の操作部１３，１３は、台木保持部１０の長手方向の中間部と、穂木保持部１１の長手方向の中間部に、台木保持部１０及び穂木保持部１１の外面から放射状に突出するように一体形成されている。接ぎ木をする際に台木保持部１０及び穂木保持部１１を拡径させる場合には、一対の操作部１３，１３同士が近づくように一対の操作部１３，１３同士を例えば親指と人差し指で摘むことで、手先があまり器用でない者であっても台木保持部１０及び穂木保持部１１の内径を操作簡単に拡径して台木２及び穂木３を台木保持部１０及び穂木保持部１１に挿入し易くすることができる。なお、一対の操作部１３，１３は、図１（ａ）に示すような放射状に突出したものに限らず、台木保持部１０及び穂木保持部１１の外面から一対の操作部１３，１３が平行となるように突出したものなど異なる形状や構造のものであってもよい。また、台木保持部１０又は穂木保持部１１を拡径できる構造であれば、例えば接ぎ木用接合具１の一端側の端縁部１Ａのみに操作部１３を設けて、穂木保持部１１を拡径する場合には、台木保持部１０を片手の指で摘んで逆の手の指で穂木保持部１１の操作部１３を摘んで拡径し、台木保持部１０を拡径する場合には、穂木保持部１１を片手の指で摘んで逆の手の指で台木保持部１０の操作部１３を摘んで拡径するように構成してもよい。
【００２３】
台木保持部１０の下端部の内周面には、その全周に亘って下端側ほど径方向外側に位置するように傾斜する傾斜部１４が形成されている。同様に、図示しないが、穂木保持部１１の上端部の内周面にも、その全周に亘って上端側ほど径方向外側に位置するように傾斜する傾斜部が形成されている。台木保持部１０の傾斜部１４は、台木保持部１０に対して台木２を挿入し易くするためのものであり、穂木保持部１１の傾斜部は、穂木保持部１１に対して穂木３を挿入し易くするためのものである。台木保持部１０及び穂木保持部１１の傾斜部は、図１（ｂ）に示すような内周面にテーパ加工を施したものに限らず、台木保持部１０の下端部や穂木保持部１１の上端部の形状をラッパ状に形成したものであってもよい。
【００２４】
図１（ｃ）及び（ｄ）に示すように、スリットＳは、接ぎ木用接合具１の一端側の端縁部１Ａ及び他端側の端縁部１Ｂから長手方向に直交する方向に切り込まれている。図１（ｄ）に示すスリットＳは、接ぎ木用接合具１の長手方向に所定幅を有するスリットで構成しているが、カッターなどの刃物で単に切って切れ目を入れただけの所定幅を有しないものであってもよい。所定幅を有するスリットＳを採用した場合には、台木保持部１０と穂木保持部１１とがスリット形成箇所で互いに接触し難くなるため接ぎ木作業を円滑に行うことができる。
【００２５】
スリットＳ，Ｓの長さは、スリットＳとスリットＳとの間に台木保持部１０と穂木保持部１１とを連結する連結部１２が確保されるように、これらの二つのスリットＳ，Ｓの長さの和（Ｌ１＋Ｌ２）が重合部分を含む接ぎ木用接合具１の全周長さＬの２分の１〜３分の２の長さになるように設定されている。そして、連結部１２の周方向長さＬ３は、一方のスリットＳの長さＬ１よりも長くなり、かつ、他方のスリットＳの長さＬ２よりも長くなるように設定されている。つまり、連結部１２の周方向長さＬ３は、二つのスリットＳ，Ｓの長さの和（Ｌ１＋Ｌ２）よりも短くなるように設定されているが、短すぎると連結部１２の強度が確保し難いため、二つのスリットＳ，Ｓの長さＬ１，Ｌ２よりも長くなるように設定されている。これにより、接ぎ木した際の台木２と穂木３との連結強度を連結部１２で確保して穂木３の重さなどにより連結部１２が変形したり折れたりすることを回避しながら、台木２や穂木３の太さの相違に柔軟に対応可能なようにスリットＳ，Ｓの長さを極力長く確保することができる。なお、図１（ｄ）に示すスリットＳ，Ｓは、一端側の端縁部１Ａに形成されたスリットＳの長さＬ１が、他端側の端縁部１Ｂに形成されたスリットＳの長さＬ２よりも長く形成されているが、一端側の端縁部１Ａに形成されたスリットＳの長さＬ１を、他端側の端縁部１Ｂに形成されたスリットＳの長さＬ２よりも短く形成してもよく、二つのスリットＳ，Ｓの長さを同じ長さに形成してもよい。
【００２６】
接ぎ木用接合具１の材料としては、酢酸ビニル、ポリエチレン、ポリプロピレン、ポリスチレン、ＡＢＳ樹脂、ポリアミド、ポリカーボネート、ポリアセタール、ＰＴＦＥ、ポリ乳酸などの熱可塑性合成樹脂や、フェノール樹脂、エポキシ樹脂などの熱硬化性合成樹脂を用いることができる。接ぎ木用接合具１の材料は、接ぎ木をする際に台木２や穂木３を傷つけ難く、かつ、適度な弾性復元力を確保することが可能な比較的軟らかい材料が好ましい。この場合、透明又は半透明の樹脂を用いることで、接ぎ木する際に外側から接ぎ木の状態が確認し易くなり、接ぎ木用接合具１に対する台木２及び穂木３の位置合わせや、台木２に対する穂木３の位置合わせを精度よく容易に行うことができる。
【００２７】
［接ぎ木用接合具を用いた接ぎ木方法］
図２に基づいて接ぎ木用接合具１を用いた接ぎ木方法について説明する。図２は、（ａ）、（ｂ）、（ｃ）の順番で作業者が手作業によって接ぎ木用接合具１を用いて接ぎ木する場合の接ぎ木方法を例示したものである。なお、図２では、斜めの切断面となる斜め接ぎで接ぎ木する場合を例示するが、Ｖ字の切断面となるＶ字接ぎや水平な切断面となる平接ぎなどいずれの方法で接ぎ木されてもよい。
【００２８】
図２（ａ）に示すように、作業者は、台木保持部１０の一対の操作部１３，１３を手で摘んで台木保持部１０を拡径して台木保持部１０を台木２の傾斜部２Ａに上側から挿入する。この場合、接ぎ木用接合具１にはスリットＳが形成されて台木保持部１０と穂木保持部１１とは部分的に縁が切れているため、台木保持部１０を拡径しても穂木保持部１１は拡径しないか又は殆んど拡径しない。そのため、図２（ｂ）に示すように、作業者が台木２の傾斜部２Ａに上側から台木保持部１０を挿入すると、台木２の傾斜部２Ａの上端２Ｂに穂木保持部１１のスリット形成箇所の下端が当接し、台木２の傾斜部２Ａに台木保持部１０を上側から挿入するだけで台木２に対して接ぎ木用接合具１を位置決めすることができる。なお、図２に示す例では、台木２の傾斜部２Ａの上端２ＢがスリットＳ側に位置するように、台木保持部１０を台木２に挿入しているが、台木２の傾斜部２Ａの上端２Ｂが周方向で異なる位置に位置するように、台木保持部１０を台木２に挿入してもよい。例えば、台木２の傾斜部２Ａの上端２Ｂが連結部１２側に位置するように、台木保持部１０を台木２に挿入した場合には、台木２の傾斜部２Ａの上端部が連結部１２の上下中間部の内周面に当接して位置決めされることになる。
【００２９】
次に、図２（ｂ）に示すように、作業者は、台木保持部１０の一対の操作部１３，１３から手を離して台木保持部１０の弾性復元力を作用させて台木保持部１０に台木２を保持させてから、穂木保持部１１の一対の操作部１３，１３を手で摘んで穂木保持部１１を拡径して穂木３の傾斜部３Ａを穂木保持部１１に上側から挿入する。作業者が穂木３の傾斜部３Ａを穂木保持部１１に上側から押し込むと、穂木３の傾斜部３Ａの切断面が台木２の傾斜部２Ａの切断面に接当して、台木２の傾斜部２Ａに対して穂木３の傾斜部３Ａが位置決めされる。
【００３０】
そして、図２（ｃ）に示すように、作業者が穂木保持部１１の一対の操作部１３，１３から手を離して穂木保持部１１の弾性復元力を作用させると、穂木保持部１１の弾性復元力により穂木３の傾斜部３Ａが連結部１２側（一対の操作部１３，１３側）に寄せられて穂木３が穂木保持部１１に保持される。これにより、一連の接ぎ木作業が簡単な操作で且つ短時間に完了する。
【００３１】
図３は、接ぎ木用接合具１を用いて接ぎ木した苗木の状態を示す断面図であり、図３（ａ）は、台木保持部１０の位置での水平方向の断面図であり、図３（ｂ）は、穂木保持部１１の位置での水平方向の断面図であり、図３（ｃ）及び（ｄ）は、台木２と穂木３の相対位置関係を説明するための水平方向の断面図である。
【００３２】
図３（ａ）に示すように、台木２と穂木３とを接合した接合状態において、台木保持部１０では、両端縁部１Ａ，１Ｂが径方向に重なり合った状態で、拡径による両端縁部１Ａ，１Ｂの弾性復元力により台木２が連結部１２側（紙面左側）に押え付けられて、台木保持部１０の内周面が台木２の外周面に密着した状態となる。この場合、拡径による両端縁部１Ａ，１Ｂの弾性復元力を連結部１２に対して直交又は略直交する方向Ｆから効果的に作用させることができる。一方、穂木保持部１１では、図３（ｂ）に示すように、両端縁部１Ａ，１Ｂが径方向に重なり合った状態で、拡径による両端縁部１Ａ，１Ｂの弾性復元力により穂木３が連結部１２側（紙面左側）に押え付けられて、穂木保持部１１の内周面が穂木３の外周面に密着した状態となる。この場合、拡径による両端縁部１Ａ，１Ｂの弾性復元力を連結部１２に対して直交又は略直交する方向Ｆから効果的に作用させることができる。これにより、接ぎ木用接合具１を用いて台木２と穂木３とを確実に接ぎ木することができる。
【００３３】
図３（ｃ）に示すように、接ぎ木用接合具１を用いて台木２と穂木３とを接ぎ木することで、穂木保持部１１によって穂木３を連結部１２側（紙面左側）に寄せて、台木２の連結部１２側の側面と穂木３の連結部１２側の側面の位置を一致又は略一致させることができる。これにより、台木２の維管束２Ｃと穂木３の維管束３Ｃとの重なり合う部分（養分の伝達経路）を多くすることができ、例えば、図３（ｄ）に示す台木２の中心と穂木３の中心とを合わせるように接ぎ木した場合のように、台木２の維管束２Ｃと穂木３の維管束３Ｃとが重なり合わない又は重なり難いという状況を回避して、台木２と穂木３との接ぎ木をより確実なものとすることができる。
【００３４】
なお、上述したように接ぎ木用接合具１は薄肉円筒状に形成されているので、苗木の生育に伴って、接ぎ木用接合具１が割れるか接ぎ木用接合具１が弾性変形又は塑性変形して苗木から自然と外れるため、苗木の出荷時や出荷後などに接ぎ木用接合具１を外す作業を省略できる。この場合、接ぎ木用接合具１には、スリットＳ，Ｓが形成されているので、苗木の生育に伴って接続部１２の位置で接ぎ木用接合具１を割れ易くし又は変形し易くすることができるという利点もある。
【００３５】
［別実施形態］
（１）上記実施形態では、接ぎ木用接合具１の一端側の端縁部１Ａと他端側の端縁部１Ｂとに二つのスリットＳ，Ｓを形成した例を示したが、図４（ａ）に示すように、接ぎ木用接合具１の一端側の端縁部１ＡのみにスリットＳを形成してもよく、図４（ｂ）に示すように、接ぎ木用接合具１の他端側の端縁部１ＢのみにスリットＳを形成してもよい。なお、図４（ａ）及び（ｂ）では、一対の操作部１３，１３の位置もスリットＳの長さや位置に合わせて台木保持部１０及び穂木保持部１１を拡径し易い位置に変更されている。
【００３６】
（２）上記実施形態では、接ぎ木用接合具１の長手方向中間部に、一端側の端縁部１Ａ及び他端側の端縁部１Ｂから長手方向に直交する方向に切り込まれたスリットＳを形成した例に示したが、図４（ｃ）に示すように、接ぎ木用接合具１の長手方向中間部に、周方向外端側ほど上側に位置するように斜めに傾斜するスリットＳ，Ｓを形成してもよい。この場合、長手方向に直交する方向に対して傾斜する傾斜角度α，βは、斜め接ぎで接ぎ木する場合の台木２及び穂木３の切断面の角度と同じ角度又は略同じ角度に設定してもよく異なる角度に設定してもよい。接ぎ木用接合具１に斜めに傾斜するスリットＳを形成することで、図４（ｃ）に示すスリットＳの上側の三角形の領域Ｒ，Ｒの分、穂木保持部１１の端縁部１Ａ，１Ｂで穂木３の外周面を押え付ける面積を広く確保することが可能となる。なお、図示しないが、接ぎ木用接合具１の長手方向中間部に、周方向外端側ほど下側に位置するように斜めに傾斜するスリットＳを形成してもよく、長手方向に直交する方向に切り込まれたスリットＳと斜めに傾斜するスリットＳの組み合わせを採用してもよい。また、長手方向に直交する方向に対して傾斜する傾斜角度α，βを同じ角度に設定してもよく異なる角度に設定してもよい。
【００３７】
（３）上記実施形態では、他端側の端縁部１Ｂの先端が一端側の端縁部１Ａの内周面に接当し、一端側の端縁部１Ａと他端側の端縁部１Ｂとの間に所定の隙間Ｋが形成されるように、非接合状態での接ぎ木用接合具１の断面形状を設定した例を示したが、図４（ｄ）に示すように、他端側の端縁部１Ｂの先端が一端側の端縁部１Ａの内周面に接当せず、一端側の端縁部１Ａの内周面と他端側の端縁部１Ｂの外周面とが平行又は略平行となるような隙間Ｋが形成されるように、非接合状態での接ぎ木用接合具１の断面形状を設定してもよい。また、図４（ｅ）に示すように、台木保持部１０及び穂木保持部１１の他端側の端縁部１Ｂの先端部に先端側ほど径方向内側に位置するように傾斜する傾斜部１Ｄを形成して、台木保持部１０及び穂木保持部１１の端縁部１Ｂの先端部の形状を先細り形状に形成してもよい。端縁部１Ｂの先端部の形状を先細り形状に形成することで、上記実施形態における図３（ａ）及び（ｂ）に記載の構造に比べて、台木保持部１０の内周面と台木２の外周面との間の隙間及び穂木保持部１１の内周面と穂木３の外周面との間の隙間を更に小さくして、台木保持部１０と台木２を更に密着させることができ、穂木保持部１１と穂木３を更に密着させることができる。なお、図示しないが、他端側の端縁部１Ｂの先端が一端側の端縁部１Ａの内周面に接当し、かつ、一端側の端縁部１Ａの先端が他端側の端縁部１Ｂの外周面に接当するように、非接合状態での接ぎ木用接合具１の断面形状を設定してもよい。この場合、他端側の端縁部１Ｂの外周面と一端側の端縁部１Ａの内周面との間に空間が形成されるように、非接合状態での接ぎ木用接合具１の断面形状を設定してもよく、他端側の端縁部１Ｂの外周面と一端側の端縁部１Ａの内周面とが接当するように、非接合状態での接ぎ木用接合具１の断面形状を設定してもよい。また、図示しないが、他端側の端縁部１Ｂの先端が一端側の端縁部１Ａの内周面に接当せず、一端側の端縁部１Ａの先端が他端側の端縁部１Ｂの外周面に接当するように、非接合状態での接ぎ木用接合具１の断面形状を設定してもよい。
【００３８】
（４）上記実施形態では、台木保持部１０及び穂木保持部１１に一対の操作部１３，１３を形成した例を示したが、一対の操作部１３，１３は必ずしも必須の構成ではなく、一対の操作部１３，１３を省略してもよい。この場合であっても、一端側の端縁部１Ａと他端側の端縁部１Ｂとの間に形成された所定の隙間Ｋを有効に活用し、手先があまり器用でない者であっても所定の隙間Ｋの間に爪や小片を挿入して容易に台木保持部１０及び穂木保持部１１を拡径することができる。
【００３９】
（５）上記実施形態では、予めスリットＳが形成された接ぎ木用接合具１を用いて手作業によって接ぎ木する場合の接ぎ木方法を例示したが、スリットＳが形成されていない接ぎ木用接合具１にカッターやハサミなどの刃物でスリットＳを形成した後、図２に示す手順で手作業によって接ぎ木してもよい。また、複数の台木２及び穂木３を用いて連続的に接ぎ木を行う接ぎ木製造装置（図示せず）によって自動的に接ぎ木する場合にあっては、スリットＳが形成されていない接ぎ木用接合具１に接ぎ木製造装置に装備された刃部によって自動的にスリットＳを形成し、接ぎ木製造装置に装備された拡径装置を用いて台木保持部１０及び穂木保持部１１を自動的に拡径し、接ぎ木製造装置に装備された供給装置によって台木２及び穂木３を自動的に供給して、一連の接ぎ木作業を自動的に行うように構成してもよい。接ぎ木用接合具１を用いて接ぎ木製造装置によって自動的に接ぎ木する場合においても、複数種類の接合具を用いることなく同じ接ぎ木用接合具１を用いて所定の範囲内の任意の外径の台木２及び穂木３に対して接ぎ木することが可能となり、台木２及び穂木３の外径に合わせた接合具の変更等の手間を省くことができ、また、これに伴う装置構成の簡素化を図ることができる。なお、手作業で接ぎ木する場合及び接ぎ木製造装置によって自動的に接ぎ木する場合のいずれの場合においても、長尺のチューブを刃物や刃部によって所定長さずつ切断して、上述した接ぎ木用接合具１として用いるように構成してもよい。
【産業上の利用可能性】
【００４０】
本発明の接ぎ木用接合具は、果菜類、果樹類、花などの様々な植物の接ぎ木に利用可能である。
【符号の説明】
【００４１】
１        接ぎ木用接合具
１Ａ      一端側の端縁部
１Ｂ      他端側の端縁部
２        台木
３        穂木
１０      台木保持部
１１      穂木保持部
１２      連結部
Ｓ        スリット
【図１】
2014132840.tif 000003
【図２】
2014132840.tif 000004
【図３】
2014132840.tif 000005
【図４】
2014132840.tif 000006